(57)【要約】      （修正有）【課題】相手方電話機から呼出しがあった場合でもテレビ放送を継続して見ることができる携帯電話機を提供する。【解決手段】メイン表示部にテレビ画像を表示した状態で相手方電話機から呼出しがあった場合に、テレビ画像表示部３５がメイン表示部にテレビ画像を表示した状態のまま、テレビ音声出力部３６がそのテレビ画像に対応するテレビ音声の出力を停止させるとともに、文字情報表示部３８がテレビ画像に対応する字幕をメイン表示部に表示させる。これにより、相手方電話機との間で通話を行っている間も、テレビ画像及び字幕に基づいてテレビ放送を継続して見ることができる。【選択図】図１２
2011019234.tif 000002
【特許請求の範囲】
【請求項１】
テレビ放送波を受信するテレビ放送受信手段と、
受信したテレビ放送波に基づいて表示画面にテレビ画像を表示するとともに、そのテレビ画像に対応するテレビ音声を出力するテレビ出力手段と、
呼出信号及び応答信号の送受信を行う無線通信手段と、
上記呼出信号に対する応答可能期間中に、ユーザ操作に基づいて、応答信号を生成して通話状態を確立させる着信応答手段とを備え、
上記テレビ出力手段は、上記表示画面にテレビ画像を表示している状態で上記呼出信号を受信した場合に、上記表示画面にテレビ画像を表示した状態のまま、そのテレビ画像に対応するテレビ音声の音量を低下させる音量低下手段と、
上記音量低下手段がテレビ画像に対応するテレビ音声を低下させる場合に、テレビ放送波からそのテレビ画像に対応する文字情報を抽出して上記表示画面に表示させる文字情報表示手段とを有することを特徴とする携帯電話機。
【請求項２】
筐体面に上記表示画面が形成された筐体と、
上記筐体面にユーザが耳を当てた状態で使用される第１音声出力手段と、
上記筐体面からユーザが耳を離した状態で使用される第２音声出力手段と、
上記音量低下手段がテレビ画像に対応するテレビ音声の音量を低下させる場合に、それまでテレビ音声を出力していたときと同一の音声出力手段を選択して相手方電話機からの音声を出力させる出力選択手段とを備えたことを特徴とする請求項１に記載の携帯電話機。
【請求項３】
上記テレビ出力手段は、上記表示画面にテレビ画像を表示した状態のまま、上記第２音声出力手段により相手方電話機からの音声が出力されているときに、上記第１音声出力手段により音声を出力するための操作が行われた場合に、上記表示画面に対するテレビ画像の表示を停止させる画像表示停止手段を有することを特徴とする請求項２に記載の携帯電話機。
【請求項４】
上記画像表示停止手段がテレビ画像の表示を停止させた場合に、テレビ放送波に基づいてその後のテレビ画像を記録する録画手段を備えたことを特徴とする請求項３に記載の携帯電話機。
【請求項５】
通話状態が確立されているときに、相手方電話機への通話音の出力が停止された保留状態に切り替えるための保留切替手段を備え、
上記テレビ出力手段は、テレビ音声の音量を低下させた状態で上記表示画面にテレビ画像を表示しているときに、上記保留切替手段により保留状態に切り替えられた場合に、テレビ音声の音量を増大させる音量増大手段を有することを特徴とする請求項１から４のいずれかに記載の携帯電話機。
【請求項６】
筐体面に長方形の表示画面が形成された表示筐体と、
上記表示画面の長手方向の一端側における上記表示筐体内に配置され、上記筐体面にユーザが耳を当てた状態で使用される音声出力手段と、
上記表示画面が縦長状態及び横長状態となるように、上記表示筐体を上記表示画面に水平な面内で回転可能に保持する保持手段と、
ユーザによる上記表示筐体の回転操作を検出する回転操作検出手段と、
テレビ放送波を受信するテレビ放送受信手段と、
受信したテレビ放送波に基づいて生成され、上記回転操作に応じて回転させたテレビ画像を上記表示画面に表示させるテレビ画像表示手段と、
呼出信号及び応答信号の送受信を行う無線通信手段と、
上記呼出信号に対する応答可能期間中に、テレビ画像を表示している上記表示画面を横長状態から縦長状態へ遷移させる回転操作に基づいて、応答信号を生成して通話状態を確立させる着信応答手段とを備えたことを特徴とする携帯電話機。
【請求項７】
上記テレビ画像表示手段は、上記着信応答手段が通話状態を確立させた場合に、上記表示画面に対するテレビ画像の表示を停止させる画像表示停止手段を有することを特徴とする請求項６に記載の携帯電話機。
【請求項８】
上記画像表示停止手段がテレビ画像の表示を停止させた場合に、テレビ放送波に基いてその後のテレビ画像を記録する録画手段を備えたことを特徴とする請求項７に記載の携帯電話機。
【請求項９】
上記テレビ画像表示手段は、上記呼出信号に対する応答可能期間でないときに、テレビ画像を表示している上記表示画面を横長状態から縦長状態へ遷移させる回転操作に基づいて、上記表示画面に対するテレビ画像の表示を９０°回転させる第１画像回転手段を有することを特徴とする請求項６から８のいずれかに記載の携帯電話機。
【請求項１０】
上記テレビ画像表示手段は、縦長状態とされた上記表示画面に、テレビ画像とともに、テレビ放送波からそのテレビ画像に対応する文字情報を抽出して表示させる文字情報表示手段を有することを特徴とする請求項９に記載の携帯電話機。
【請求項１１】
上記テレビ画像表示手段は、テレビ画像を表示していない上記表示画面を縦長状態から横長状態へ遷移させる回転操作に基づいて、上記表示画面に対するテレビ画像の表示を開始させる画像表示開始手段を有することを特徴とする請求項６から１０のいずれかに記載の携帯電話機。
【請求項１２】
上記テレビ画像表示手段は、テレビ画像を表示している上記表示画面を縦長状態から横長状態へ遷移させる回転操作に基づいて、上記表示画面に対するテレビ画像の表示を９０°回転させる第２画像回転手段を有することを特徴とする請求項１１に記載の携帯電話機。
【請求項１３】
テレビ放送波を受信するテレビ放送受信手段と、
受信したテレビ放送波に基づいて表示画面にテレビ画像を表示するテレビ画像表示手段と、
文字情報からなる電子メールを基地局から受信する電子メール受信手段と、
上記テレビ画像表示手段が上記表示画面にテレビ画像を表示している状態で電子メールを受信した場合に、その電子メールの文字情報を上記表示画面上において時間経過とともに移動するようにスクロール表示させるスクロール表示手段と、
上記スクロール表示の開始後、ユーザ操作に基づいて、受信した電子メールの文字情報を閲覧するためのアプリケーション、又は電子メールを作成するためのアプリケーションを起動させるアプリケーション起動手段とを備えたことを特徴とする携帯電話機。
【請求項１４】
上記アプリケーション起動手段は、受信した電子メールの文字情報が上記表示画面にすべてスクロール表示される前に上記ユーザ操作が行われた場合、既に上記表示画面にスクロール表示された文字情報以外の文字情報を閲覧させるためのアプリケーションを起動させるメール閲覧アプリケーション起動手段を有することを特徴とする請求項１３に記載の携帯電話機。
【請求項１５】
上記アプリケーション起動手段は、受信した電子メールの文字情報が上記表示画面にすべてスクロール表示された後、一定時間内に上記ユーザ操作が行われた場合に、受信した電子メールに対する返信用の電子メールを作成するためのアプリケーションを起動させるメール作成アプリケーション起動手段を有することを特徴とする請求項１３又は１４に記載の携帯電話機。
【請求項１６】
長方形の表示画面が形成された表示筐体と、
上記表示画面が縦長状態及び横長状態となるように、上記表示筐体を上記表示画面に水平な面内で回転可能に保持する保持手段と、
ユーザによる上記表示筐体の回転操作を検出する回転操作検出手段とを備え、
上記テレビ画像表示手段は、上記回転操作に応じて回転させたテレビ画像を上記表示画面に表示させ、
上記アプリケーション起動手段は、上記表示画面を横長状態から縦長状態へ遷移させる回転操作に基づいて、アプリケーションを起動させることを特徴とする請求項１３から１５のいずれかに記載の携帯電話機。
【請求項１７】
上記テレビ画像表示手段は、上記アプリケーション起動手段がアプリケーションを起動させた後も継続して、縦長状態とされた上記表示画面における長手方向の一方側にテレビ画像を表示し、
上記アプリケーション起動手段は、上記表示画面における長手方向の他方側に電子メールを閲覧又は作成するための画面を表示させることを特徴とする請求項１６に記載の携帯電話機。
【発明の詳細な説明】
【技術分野】
【０００１】
本発明は、携帯電話機に係り、さらに詳しくは、テレビ放送を視聴することができる携帯電話機の改良に関する。
【背景技術】
【０００２】
携帯電話機の中には、テレビ局から発信されているテレビ放送波を受信するためのアンテナを備え、テレビ放送波に基づいて表示画面にテレビ画像を表示するとともに、そのテレビ画像に対応するテレビ音声を出力することにより、テレビ放送を視聴することができるようになっているものがある（例えば、特許文献１，２）。
【０００３】
テレビ音声を出力するための音声出力手段としては、携帯電話機に内蔵され、テレビ音声を増幅して出力するスピーカや、携帯電話機に備えられた外部出力端子に接続されるイヤホンなどの外部出力装置が用いられる。自宅のように周囲に人がいない環境でテレビ放送を視聴する場合や、複数の友人が集まってテレビ放送を視聴する場合などには、スピーカからテレビ音声を出力させることができる。これに対して、電車の中のように不特定多数の人が周囲にいるような環境では、イヤホンなどの外部出力装置を介してテレビ音声を出力することにより、周囲の人に迷惑をかけることなくテレビ放送を視聴することができる。
【０００４】
一方、相手方電話機との間で通話を行う場合には、携帯電話機に備えられた受話用レシーバに耳を近づけることにより、相手方電話機からの音声を聞くことができる。また、相手方電話機との間で通話を行う場合にも、相手方電話機からの音声をスピーカや外部出力装置から出力させることができる。このように、テレビ放送を受信することができる一般的な携帯電話機では、受話用レシーバ、スピーカ及び外部出力装置のいずれかを選択して通話を行うことができるとともに、スピーカ及び外部出力装置のいずれかを選択してテレビ放送を視聴することができるようになっている。
【０００５】
特許文献１及び２に開示されている携帯電話機は、表示画面が形成された表示筐体と、多数の操作キーが配置された操作筐体とを備え、表示筐体が表示画面に水平な面内で操作筐体により回転可能に保持されている。この種の携帯電話機では、例えば、表示画面が長方形形状に形成されており、操作筐体に対して表示筐体を回転させることにより、表示画面の長手方向を上下方向として表示を行う縦長状態と、表示画面の短手方向を上下方向として表示を行う横長状態とに切り替えて使用することができるようになっている。
【０００６】
通常、テレビ画像は横長のアスペクト比を有しているので、表示画面を横長状態とすることによりテレビ画像を良好に表示させることができる。一方、相手方電話機からの呼出しに応答して通話を行う場合には、携帯電話機は表示画面を縦長状態として使用される。通常の携帯電話機は、操作筐体の長手方向の一端部に、音声を入力するための送話用マイクロホンを備え、表示筐体の長手方向の一端部に、相手方電話機からの音声を出力するための受話用レシーバを備えている。したがって、表示画面を縦長状態として携帯電話機に顔を近づけることにより、送話用マイクロホンに口を近づけるとともに、受話用レシーバに耳を近づけて、良好に通話を行うことができるようになっている。
【０００７】
また、テレビ放送を視聴可能な携帯電話機の一例として、テレビ放送を視聴しているときに電子メールを受信した場合に、その旨を表示画面に表示させることにより、テレビ放送の視聴を中断することなく電子メールの受信を確認することができるものが提案されている（例えば、特許文献３，４）。このような携帯電話機では、電子メールの受信を確認したユーザが所定の操作を行い、その電子メールの文字情報を閲覧するためのアプリケーションを起動させることにより、表示画面に電子メールの全文を表示させて閲覧することができる。そして、必要に応じて、電子メールを作成するためのアプリケーションを起動させる操作を行い、受信した電子メールに対する返信用の電子メールを作成することができる。
【先行技術文献】
【特許文献】
【０００８】
【特許文献１】特開２００４−２１５１８０号公報
【特許文献２】特開２００５−１２３４４号公報
【特許文献３】特開２００５−１３０１３２号公報
【特許文献４】特開２００５−１９８２５９号公報
【発明の概要】
【発明が解決しようとする課題】
【０００９】
上記のようなテレビ放送を受信することができる携帯電話機においては、テレビ放送を視聴しているときに相手方電話機から呼出しがあった場合、テレビ放送の視聴を中止するための操作を行った後、呼出しに応答するための操作を行わなければならない。したがって、相手方電話機から呼出しがあった場合には、必然的にテレビ放送の視聴を中止しなければならず、相手方電話機との間での通話とテレビ放送の視聴とを両立させることができなかった。
【００１０】
また、通話を良好に行うことができる表示画面の向きと、テレビ放送を良好に視聴することができる表示画面の向きとは、一般的に異なっている。したがって、横長状態でテレビ放送を視聴しているときに相手方電話機から呼出しがあった場合には、表示筐体を回転させて縦長状態とする操作及び呼出しに応答するための操作を行わなければならず、逆に、テレビ放送を視聴しようとする場合には、表示筐体を縦長状態から回転させて横長状態とする操作及びテレビ放送の視聴を開始させるための操作を行わなければならず、いずれの場合も操作が煩わしい。
【００１１】
さらに、テレビ放送の視聴のために携帯電話機が消費する電力は比較的高いので、相手方電話機との間で通話を行っているときのように、必要なとき以外はテレビ画像の表示等を停止させることが好ましい。また、テレビ放送の視聴中に相手方電話機から呼出しがあり、その呼出しに応答する場合には、テレビ放送の視聴を中止しなければならないため、その後のテレビ放送を視聴できなくなってしまうという問題がある。
【００１２】
また、特許文献３及び４に開示されているような従来の携帯電話機では、テレビ放送を視聴しているときに電子メールを受信した場合に、その旨を確認することはできるものの、受信した電子メールの文字情報を確認することはできない。そのため、電子メールの文字情報を確認するためには、テレビ放送の視聴を中断して、電子メールを閲覧するためのアプリケーションを起動させなければならず、テレビ放送を視聴しながら電子メールの文字情報を閲覧することができないという問題がある。
【００１３】
本発明は、上記の事情に鑑みてなされたものであり、相手方電話機から呼出しがあった場合でもテレビ放送を継続して見ることができる携帯電話機を提供することを目的とする。また、本発明は、利便性を向上させることができる携帯電話機を提供することを目的とする。また、本発明は、操作の煩わしさが低減された携帯電話機を提供することを目的とする。また、本発明は、消費電力を効率的に低減することができる携帯電話機を提供することを目的とする。また、本発明は、テレビ放送の視聴中に相手方電話機から呼出しがあった場合の利便性を向上させることができる携帯電話機を提供することを目的とする。また、本発明は、テレビ放送を視聴しながら受信した電子メールの文字情報を閲覧することができる携帯電話機を提供することを目的とする。
【課題を解決するための手段】
【００１４】
第１の本発明による携帯電話機は、テレビ放送波を受信するテレビ放送受信手段と、受信したテレビ放送波に基づいて表示画面にテレビ画像を表示するとともに、そのテレビ画像に対応するテレビ音声を出力するテレビ出力手段と、呼出信号及び応答信号の送受信を行う無線通信手段と、上記呼出信号に対する応答可能期間中に、ユーザ操作に基づいて、応答信号を生成して通話状態を確立させる着信応答手段とを備え、上記テレビ出力手段は、上記表示画面にテレビ画像を表示している状態で上記呼出信号を受信した場合に、上記表示画面にテレビ画像を表示した状態のまま、そのテレビ画像に対応するテレビ音声の音量を低下させる音量低下手段と、上記音量低下手段がテレビ画像に対応するテレビ音声を低下させる場合に、テレビ放送波からそのテレビ画像に対応する文字情報を抽出して上記表示画面に表示させる文字情報表示手段とを有するように構成される。
【００１５】
このような構成により、表示画面にテレビ画像を表示した状態で相手方電話機から呼出しがあった場合に、表示画面にテレビ画像を表示した状態のまま、そのテレビ画像に対応するテレビ音声の音量を低下させて、相手方電話機との間で通話を行うことができる。このとき、テレビ画像に対応する字幕などの文字情報を表示画面に表示させることができるので、相手方電話機との間で通話を行っている間も、テレビ画像及び文字情報に基づいてテレビ放送を継続して見ることができる。
【００１６】
第２の本発明による携帯電話機は、筐体面に上記表示画面が形成された筐体と、上記筐体面にユーザが耳を当てた状態で使用される第１音声出力手段と、上記筐体面からユーザが耳を離した状態で使用される第２音声出力手段と、上記音量低下手段がテレビ画像に対応するテレビ音声の音量を低下させる場合に、それまでテレビ音声を出力していたときと同一の音声出力手段を選択して相手方電話機からの音声を出力させる出力選択手段とを備えて構成される。
【００１７】
このような構成により、表示画面にテレビ画像を表示した状態で相手方電話機から呼出しがあった場合に、そのときテレビ音声を出力していた音声出力手段を用いて相手方電話機からの音声を出力させることができる。したがって、相手方電話機との間で通話を行うために音声出力手段を切り替える操作を行う必要がなく、それまで使用していた音声出力手段を用いて続けて通話を行うことができるので、利便性を向上させることができる。
【００１８】
第３の本発明による携帯電話機は、上記テレビ出力手段が、上記表示画面にテレビ画像を表示した状態のまま、上記第２音声出力手段により相手方電話機からの音声が出力されているときに、上記第１音声出力手段により音声を出力するための操作が行われた場合に、上記表示画面に対するテレビ画像の表示を停止させる画像表示停止手段を有するように構成される。
【００１９】
このような構成により、第２音声出力手段により相手方電話機からの音声を出力しながら、表示画面に表示されているテレビ画像を見ているときに、第１音声出力手段により音声を出力するための操作が行われたことに基づいて、表示画面に対するテレビ画像の表示を停止させることができる。第１音声出力手段により音声を出力するための操作が行われた場合、ユーザは通話のために筐体面に耳を当てなければならず、表示画面を見ることはできなくなるので、自動的にテレビ画像の表示を停止させることにより、消費電力を効率的に低減することができる。
【００２０】
第４の本発明による携帯電話機は、上記画像表示停止手段がテレビ画像の表示を停止させた場合に、テレビ放送波に基づいてその後のテレビ画像を記録する録画手段を備えて構成される。
【００２１】
このような構成により、表示画面に対する表示が停止されることにより視聴できなくなったテレビ放送を録画しておいて、後からそのテレビ放送を見ることができるので、利便性を向上させることができる。
【００２２】
第５の本発明による携帯電話機は、通話状態が確立されているときに、相手方電話機への通話音の出力が停止された保留状態に切り替えるための保留切替手段を備え、上記テレビ出力手段が、テレビ音声の音量を低下させた状態で上記表示画面にテレビ画像を表示しているときに、上記保留切替手段により保留状態に切り替えられた場合に、テレビ音声の音量を増大させる音量増大手段を有するように構成される。
【００２３】
このような構成により、表示画面にテレビ画像を表示したままテレビ音声の音量を低下させて相手方電話機との間で通話を行っているときに、テレビ画像の内容からテレビ音声を聞きたくなった場合には、保留状態としてテレビ音声の音量を増大させることにより一時的にテレビ音声を聞くことができるので、利便性がさらに向上する。
【００２４】
第６の本発明による携帯電話機は、筐体面に長方形の表示画面が形成された表示筐体と、上記表示画面の長手方向の一端側における上記表示筐体内に配置され、上記筐体面にユーザが耳を当てた状態で使用される音声出力手段と、上記表示画面が縦長状態及び横長状態となるように、上記表示筐体を上記表示画面に水平な面内で回転可能に保持する保持手段と、ユーザによる上記表示筐体の回転操作を検出する回転操作検出手段と、テレビ放送波を受信するテレビ放送受信手段と、受信したテレビ放送波に基づいて生成され、上記回転操作に応じて回転させたテレビ画像を上記表示画面に表示させるテレビ画像表示手段と、呼出信号及び応答信号の送受信を行う無線通信手段と、上記呼出信号に対する応答可能期間中に、テレビ画像を表示している上記表示画面を横長状態から縦長状態へ遷移させる回転操作に基づいて、応答信号を生成して通話状態を確立させる着信応答手段とを備えて構成される。
【００２５】
このような構成により、表示筐体が横長状態で表示画面にテレビ画像を表示した状態で、呼出信号を受信したときに、表示筐体を横長状態から縦長状態まで回転させるだけで呼出しに応答することができる。したがって、テレビ放送を視聴しているときに相手方電話機から呼出しがあった場合に、表示筐体を回転させるだけで呼出しに応答することができるので、表示筐体を回転させる操作及び呼出しに応答するための操作を両方行う必要がなく、操作の煩わしさを低減することができる。
【００２６】
第７の本発明による携帯電話機は、上記テレビ画像表示手段が、上記着信応答手段が通話状態を確立させた場合に、上記表示画面に対するテレビ画像の表示を停止させる画像表示停止手段を有するように構成される。
【００２７】
このような構成により、相手方電話機からの呼出しに対して表示筐体を回転させて応答することに基づいて、表示画面に対するテレビ画像の表示を停止させることができる。表示筐体を横長状態から縦長状態に回転させて呼出しに応答する場合、ユーザは通話のために表示筐体の筐体面に耳を当てなければならず、表示画面を見ることはできなくなるので、自動的にテレビ画像の表示を停止させることにより、消費電力を効率的に低減することができる。
【００２８】
第８の本発明による携帯電話機は、上記画像表示停止手段がテレビ画像の表示を停止させた場合に、テレビ放送波に基いてその後のテレビ画像を記録する録画手段を備えて構成される。
【００２９】
このような構成により、表示画面に対する表示が停止されることにより視聴できなくなったテレビ放送を録画しておいて、後からそのテレビ放送を見ることができる。したがって、ユーザは、テレビ放送の視聴中に相手方電話機から呼出しがあった場合でも、その後のテレビ放送は自動的に録画されるという安心感により、ためらうことなく呼出しに応答して通話を行うことができる。これにより、テレビ放送の視聴中に相手方電話機から呼出しがあった場合の利便性を向上させることができる。
【００３０】
第９の本発明による携帯電話機は、上記テレビ画像表示手段が、上記呼出信号に対する応答可能期間でないときに、テレビ画像を表示している上記表示画面を横長状態から縦長状態へ遷移させる回転操作に基づいて、上記表示画面に対するテレビ画像の表示を９０°回転させる第１画像回転手段を有するように構成される。
【００３１】
このような構成により、呼出信号に対する応答可能期間でないときに、表示画面にテレビ画像を表示した状態で表示筐体を横長状態から縦長状態まで回転させた場合には、表示画面に対するテレビ画像の表示を９０°回転させることにより、テレビ画像の方向を回転位置に合わせることができる。
【００３２】
第１０の本発明による携帯電話機は、上記テレビ画像表示手段が、縦長状態とされた上記表示画面に、テレビ画像とともに、テレビ放送波からそのテレビ画像に対応する文字情報を抽出して表示させる文字情報表示手段を有するように構成される。
【００３３】
このような構成により、表示筐体が縦長状態まで回転された状態で、表示画面の縦横の長さの比とテレビ画像のアスペクト比との違いから表示画面上に生じる空きスペースに、そのテレビ画像に対応する字幕などの文字情報を表示させることができる。したがって、文字情報の表示を望む場合には、表示筐体を縦長状態まで回転させるだけで文字情報を表示させることができるので、利便性をさらに向上させることができる。
【００３４】
第１１の本発明による携帯電話機は、上記テレビ画像表示手段が、テレビ画像を表示していない上記表示画面を縦長状態から横長状態へ遷移させる回転操作に基づいて、上記表示画面に対するテレビ画像の表示を開始させる画像表示開始手段を有するように構成される。
【００３５】
このような構成により、表示筐体を縦長状態から横長状態まで回転させるだけで、表示画面にテレビ画像を自動的に表示させることができる。したがって、テレビ放送を視聴しようとしたときに、表示筐体を回転させる操作及びテレビ画像の表示を開始させるための操作を両方行う必要がなく、操作の煩わしさを低減することができる。
【００３６】
第１２の本発明による携帯電話機は、上記テレビ画像表示手段が、テレビ画像を表示している上記表示画面を縦長状態から横長状態へ遷移させる回転操作に基づいて、上記表示画面に対するテレビ画像の表示を９０°回転させる第２画像回転手段を有するように構成される。
【００３７】
このような構成により、表示画面にテレビ画像を表示した状態で表示筐体を縦長状態から横長状態まで回転させた場合には、表示画面に対するテレビ画像の表示を９０°回転させることにより、テレビ画像の方向を回転位置に合わせることができる。
【００３８】
第１３の本発明による携帯電話機は、テレビ放送波を受信するテレビ放送受信手段と、受信したテレビ放送波に基づいて表示画面にテレビ画像を表示するテレビ画像表示手段と、文字情報からなる電子メールを基地局から受信する電子メール受信手段と、上記テレビ画像表示手段が上記表示画面にテレビ画像を表示している状態で電子メールを受信した場合に、その電子メールの文字情報を上記表示画面上において時間経過とともに移動するようにスクロール表示させるスクロール表示手段と、上記スクロール表示の開始後、ユーザ操作に基づいて、受信した電子メールの文字情報を閲覧するためのアプリケーション、又は電子メールを作成するためのアプリケーションを起動させるアプリケーション起動手段とを備えて構成される。
【００３９】
このような構成により、表示画面にテレビ画像を表示している状態で電子メールを受信した場合に、テレビ画像を表示した状態のまま、受信した電子メールの文字情報を表示画面にスクロール表示させることができるので、テレビ放送を視聴しながら受信した電子メールの文字情報を閲覧することができる。受信した電子メールの文字情報を表示画面にスクロール表示させることにより、テレビ画像を表示させるためのスペースを確保しつつ電子メールの全文を表示させることができる。
【００４０】
したがって、テレビ放送を視聴しながら受信した電子メールの文字情報をスクロール表示で確認し、直ちに全文を閲覧したい場合や返信用の電子メールを作成したい場合には、ユーザ操作によりアプリケーションを起動させることができる。一方、テレビ放送の視聴を優先したい場合には、その時点では上記ユーザ操作を行わずにテレビ放送を視聴し、後でアプリケーションを起動させればよい。
【００４１】
第１４の本発明による携帯電話機は、上記アプリケーション起動手段が、受信した電子メールの文字情報が上記表示画面にすべてスクロール表示される前に上記ユーザ操作が行われた場合、既に上記表示画面にスクロール表示された文字情報以外の文字情報を閲覧させるためのアプリケーションを起動させるメール閲覧アプリケーション起動手段を有するように構成される。
【００４２】
このような構成により、テレビ放送を視聴しながら受信した電子メールの文字情報をスクロール表示により確認している途中で、直ちに全文を閲覧したい場合には、その電子メールの文字情報が表示画面にすべてスクロール表示される前にユーザ操作を行うことにより、既に表示画面にスクロール表示された文字情報以外の文字情報を閲覧させるためのアプリケーションを起動させることができる。このアプリケーションの起動により、既に表示画面にスクロール表示された文字情報以外の文字情報を閲覧することができるので、最低限の表示で受信した電子メールの全文を閲覧することができる。
【００４３】
第１５の本発明による携帯電話機は、上記アプリケーション起動手段が、受信した電子メールの文字情報が上記表示画面にすべてスクロール表示された後、一定時間内に上記ユーザ操作が行われた場合に、受信した電子メールに対する返信用の電子メールを作成するためのアプリケーションを起動させるメール作成アプリケーション起動手段を有するように構成される。
【００４４】
このような構成により、テレビ放送を視聴しながら受信した電子メールの文字情報をスクロール表示により確認し終わった後、その電子メールに対する返信用の電子メールを作成したい場合には、スクロール表示終了後の一定時間内にユーザ操作を行うことにより、返信用の電子メールを作成するためのアプリケーションを起動させることができる。したがって、送信先のメールアドレスを指定する操作を省略することができ、返信用の電子メールを容易に送信することができる。
【００４５】
第１６の本発明による携帯電話機は、長方形の表示画面が形成された表示筐体と、上記表示画面が縦長状態及び横長状態となるように、上記表示筐体を上記表示画面に水平な面内で回転可能に保持する保持手段と、ユーザによる上記表示筐体の回転操作を検出する回転操作検出手段とを備え、上記テレビ画像表示手段が、上記回転操作に応じて回転させたテレビ画像を上記表示画面に表示させ、上記アプリケーション起動手段が、上記表示画面を横長状態から縦長状態へ遷移させる回転操作に基づいて、アプリケーションを起動させるように構成される。
【００４６】
このような構成により、表示筐体を横長状態から縦長状態まで回転させる操作に基づいて、受信した電子メールの文字情報を閲覧するためのアプリケーション、又は電子メールを作成するためのアプリケーションを起動させることができる。
【００４７】
第１７の本発明による携帯電話機は、上記テレビ画像表示手段が、上記アプリケーション起動手段がアプリケーションを起動させた後も継続して、縦長状態とされた上記表示画面における長手方向の一方側にテレビ画像を表示し、上記アプリケーション起動手段が、上記表示画面における長手方向の他方側に電子メールを閲覧又は作成するための画面を表示させるように構成される。
【００４８】
このような構成により、縦長状態とされた表示画面における長手方向の一方側に横長のテレビ画像を表示するとともに、これにより表示画面における長手方向の他端側に形成された空スペースに、電子メールを閲覧又は作成するための画面を表示させることができる。
【発明の効果】
【００４９】
本発明によれば、表示画面にテレビ画像を表示した状態で相手方電話機から呼出しがあった場合に、表示画面にテレビ画像を表示した状態のまま、そのテレビ画像に対応するテレビ音声の音量を低下させて、相手方電話機との間で通話を行うことができるとともに、テレビ画像に対応する字幕などの文字情報を表示画面に表示させることができるので、相手方電話機との間で通話を行っている間も、テレビ画像及び文字情報に基づいてテレビ放送を継続して見ることができる。
【００５０】
また、本発明によれば、表示画面にテレビ画像を表示した状態で相手方電話機から呼出しがあった場合に、それまで使用していた音声出力手段を用いて続けて通話を行うことができるので、利便性を向上させることができる。また、表示画面にテレビ画像を表示したままテレビ音声の音量を低下させて相手方電話機との間で通話を行っているときに、テレビ画像の内容からテレビ音声を聞きたくなった場合には、保留状態としてテレビ音声の音量を増大させることにより一時的にテレビ音声を聞くことができるので、利便性がさらに向上する。
【００５１】
また、本発明によれば、テレビ放送を視聴しているときに相手方電話機から呼出しがあった場合に、表示筐体を回転させるだけで呼出しに応答することができるので、表示筐体を回転させる操作及び呼出しに応答するための操作を両方行う必要がなく、操作の煩わしさを低減することができる。
【００５２】
また、本発明によれば、相手方電話機からの呼出しに対して表示筐体を回転させて応答することに基づいて、表示画面に対するテレビ画像の表示を自動的に停止させることにより、消費電力を効率的に低減することができる。
【００５３】
また、本発明によれば、表示画面に対する表示が停止されることにより視聴できなくなったテレビ放送を録画しておいて、後からそのテレビ放送を見ることができるので、テレビ放送の視聴中に相手方電話機から呼出しがあった場合の利便性を向上させることができる。
【００５４】
また、本発明によれば、表示画面にテレビ画像を表示している状態で電子メールを受信した場合に、テレビ画像を表示した状態のまま、受信した電子メールの文字情報を表示画面にスクロール表示させることができるので、テレビ放送を視聴しながら受信した電子メールの文字情報を閲覧することができる。
【００５５】
テレビ放送を視聴しながら受信した電子メールの文字情報をスクロール表示により確認している途中で、直ちに全文を閲覧したい場合には、その電子メールの文字情報が表示画面にすべてスクロール表示される前にユーザ操作を行うことにより、既に表示画面にスクロール表示された文字情報以外の文字情報を閲覧することができる。
【００５６】
一方、テレビ放送を視聴しながら受信した電子メールの文字情報をスクロール表示により確認し終わった後、その電子メールに対する返信用の電子メールを作成したい場合には、スクロール表示終了後の一定時間内にユーザ操作を行うことにより、返信用の電子メールを作成するためのアプリケーションを起動させることができる。
【図面の簡単な説明】
【００５７】
【図１】本発明の実施の形態１による携帯電話機の一例を示した斜視図であり、筐体を閉じた状態を示している。
【図２】図１の携帯電話機の筐体を展開した状態を示した斜視図である。
【図３】図２の携帯電話機の表示筐体を回転させた状態を示した斜視図であり、正面から見て図２の状態から時計回りに約４５°回転させた状態を示している。
【図４】図２の携帯電話機の表示筐体を回転させた状態を示した斜視図であり、正面から見て図２の状態から時計回りに９０°回転させた状態を示している。
【図５】図２の状態における携帯電話機の背面図であり、保持部内の構造を透視した状態で示している。
【図６】図３の状態における携帯電話機の背面図であり、保持部内の構造を透視した状態で示している。
【図７】図４の状態における携帯電話機の背面図であり、保持部内の構造を透視した状態で示している。
【図８】図２の状態におけるヒンジ部の正面図である。
【図９】図３の状態におけるヒンジ部の正面図である。
【図１０】図４の状態におけるヒンジ部の正面図である。
【図１１】この携帯電話機の電気的構成の一例を示したブロック図である。
【図１２】通信部及びテレビ放送受信部で信号を受信したときの動作について説明するためのブロック図である。
【図１３】テレビ放送波の受信中に相手方電話機から呼出しがあった場合に行われる呼出応答処理の一例を示したフローチャートである。
【図１４】テレビ放送波の受信中に相手方電話機から呼出しがあった場合に行われる呼出応答処理の一例を示したフローチャートであり、図１３の続きを示している。
【図１５】本発明の実施の形態２による携帯電話機の電気的構成の一例を示したブロック図である。
【図１６】通信部及びテレビ放送受信部で信号を受信したときの動作について説明するためのブロック図である。
【図１７】表示筐体が縦長状態から横長状態に切り替えられたときに行われる横長状態切替処理の一例を示したフローチャートである。
【図１８】表示筐体が横長状態から縦長状態に切り替えられたときに行われる縦長状態切替処理の一例を示したフローチャートである。
【図１９】本発明の実施の形態３による携帯電話機の電気的構成の一例を示したブロック図である。
【図２０】通信部及びテレビ放送受信部で信号を受信したときの動作について説明するためのブロック図である。
【図２１】図２０のスクロール表示部が受信した電子メールの本文の文字情報をメイン表示部にスクロール表示する態様の一例を示した図である。
【図２２】スクロール表示の開始後にユーザ操作に応じてアプリケーション起動部がアプリケーションを起動させる態様の一例を示した図である。
【図２３】表示筐体が横長状態のときに電子メールを受信した場合に行われるメール受信処理の一例を示したフローチャートである。
【発明を実施するための形態】
【００５８】
実施の形態１．
図１は、本発明の実施の形態１による携帯電話機１の一例を示した斜視図であり、筐体を閉じた状態を示している。図２は、図１の携帯電話機１の筐体を展開した状態を示した斜視図である。この携帯電話機１は、いわゆる折り畳み式の携帯電話機であり、それぞれ長方形形状に形成された表示筐体２及び操作筐体５がヒンジ部３を介して連結され、表示筐体２及び操作筐体５の筐体面を対向させた状態で折り畳むことができるようになっている。
【００５９】
表示筐体２には、折り畳んだ状態で操作筐体５に対向する内面にメイン表示部２ａ及び受話用レシーバ８が配置されている。メイン表示部２ａは、長方形形状に形成されており、その長手方向が表示筐体２の長手方向と一致するように配置されている。受話用レシーバ８は、表示筐体２におけるヒンジ部３と反対側の端部に配置されている。
【００６０】
操作筐体５には、折り畳んだ状態で表示筐体２に対向する内面に多数の操作キー４及び送話用マイクロホン７が配置されている。送話用マイクロホン７は、操作筐体５におけるヒンジ部３と反対側の端部に配置されている。
【００６１】
このような折り畳み式携帯電話機１は、コンパクトに折り畳んだ状態で携帯することができ、筐体を展開させれば、メイン表示部２ａの表示を見ながら、操作キー４を押下操作することができる。また、この携帯電話機１は、図２に示すようにメイン表示部２ａを縦長状態として表示筐体２の内面に耳を当てることにより、送話用マイクロホン７に口を近づけるとともに、受話用レシーバ８に耳を近づけて、良好に通話を行うことができるようになっている。
【００６２】
すなわち、より品質のよい音声を送受信するためには、送話用マイクロホン７に口を近づけるとともに、受話用レシーバ８に耳を近づけるのが好ましく、そのためには、送話用マイクロホン７と受話用レシーバ８の距離をある程度確保する必要がある。本実施の形態の携帯電話機１では、送話用マイクロホン７を操作筐体５におけるヒンジ部３と反対側の端部に配置し、受話用レシーバ８を表示筐体２におけるヒンジ部３と反対側の端部に配置することにより、縦長状態としたときの送話用マイクロホン７と受話用レシーバ８の距離を確保することができるようになっている。
【００６３】
ヒンジ部３は、操作筐体５に対して回動可能に連結される連結部３ａと、表示筐体２の外面に対向して表示筐体２を保持する保持部３ｂとが一体的に形成された構成を有している。連結部３ａは、保持部３ｂの一端部において互いに一定間隔を隔てて突出するように形成された２つの円筒体からなる。操作筐体５の内面における長手方向の一端部には、短手方向に延びるように円筒体６が形成されており、この円筒体６が２つの連結部３ａの間に同一軸線上に配置され、互いに回転可能に取り付けられることにより、ヒンジ部３が操作筐体５に対して回動可能に連結されている。
【００６４】
保持部３ｂは、矩形の板状に形成され、メイン表示部２ａを縦長状態としたときに、表示筐体２の外面におけるヒンジ部３側の半分程度に対向する。保持部３ｂは、表示筐体２をメイン表示部２ａに水平な面内で回転可能に保持しており、表示筐体２は、操作筐体５に対する傾斜角度を保った状態で回転できるようになっている。保持部３ｂの表示筐体２と反対側の外面には、主に筐体を閉じた状態で表示を行うためのサブ表示部１１が配置されている。
【００６５】
図３は、図２の携帯電話機１の表示筐体２を回転させた状態を示した斜視図であり、正面から見て図２の状態から時計回りに約４５°回転させた状態を示している。図４は、図２の携帯電話機１の表示筐体２を回転させた状態を示した斜視図であり、正面から見て図２の状態から時計回りに９０°回転させた状態を示している。ユーザは、操作筐体５を把持した状態で、表示筐体２をメイン表示部２ａに水平な面内において９０°の角度範囲内で回転させることにより、図２に示した縦長状態と図４に示した横長状態との間で表示筐体２を回転させることができる。
【００６６】
この携帯電話機１では、テレビ放送を視聴することができるようになっており、図２に示す状態から表示筐体２を回転させ、図３の状態を経て、図４に示すようにメイン表示部２ａを横長状態とすることにより、テレビ画像のアスペクト比に合致した横長状態のメイン表示部２ａにテレビ画像を良好に表示させることができる。メイン表示部２ａは、長辺と短辺の比が１６：９となる長方形形状に形成されており、この比は、一般的なテレビ放送に用いられるテレビ画像のアスペクト比と一致している。
【００６７】
図２の状態から表示筐体２を時計回りに回転させる場合、図３に示した状態となるまでは、ヒンジ部３の保持部３ｂ内に備えられた付勢手段により、表示筐体２に対して反時計回りに付勢力が作用するようになっている。したがって、図２の状態では、表示筐体２に対して反時計回りに作用する付勢力によって、外力が作用しない限り表示筐体２が図２の状態のまま維持されるようになっている。
【００６８】
一方、図３の状態を超えて表示筐体２をさらに時計回りに回転させると、表示筐体２に作用する付勢力が時計回りに切り替わり、図４に示した状態で表示筐体２が係止される。これにより、外力が作用しない限り表示筐体２が図４の状態のまま維持されるようになっている。
【００６９】
本実施の形態では、表示筐体２は一定位置に固定された回転軸を中心に回転するのではなく、表示筐体２の回転に伴って移動する回転軸を中心に回転するようになっている。これにより、図２に示すように長手方向の一端部が操作筐体５に近接した縦長状態の表示筐体２を９０°回転させても、図４に示すように表示筐体２の短手方向の一端部が操作筐体５に近接し、コンパクトに横長状態とされたメイン表示部２ａにテレビ画面を表示させてテレビ放送を視聴することができるようになっている。
【００７０】
また、操作筐体５を把持した状態のまま表示筐体２を縦長状態から横長状態に回転させることにより、携帯電話機１を持ち替えることなくテレビ放送を視聴することができる。このとき、表示筐体２に作用する付勢力により、表示筐体２を縦長状態と横長状態との間でスムーズに切り替えることができるようになっている。
【００７１】
図５〜図７は、図２〜図４の状態における携帯電話機１の背面図であり、それぞれ保持部３ｂ内の構造を透視した状態で示している。また、図８〜図１０は、図２〜図４の状態におけるヒンジ部３の正面図である。図５及び図８は、図２に示す縦長状態に対応し、図６及び図９は、表示筐体２を約４５°回転させた図３に示す状態に対応し、図７及び図１０は、図４に示す横長状態に対応している。
【００７２】
保持部３ｂ内には、矩形形状の保持板１６が配置されており、この保持板１６に表示筐体２が回転可能に保持されている。保持板１６には、横方向に円弧状に延びる円弧孔１２と、縦方向に直線状に延びる直線孔１４とが形成されている。円弧孔１２の中央部の頂点は、直線孔１４の一端部に近接しており、この頂点における法線方向に直線孔１４が延びている。
【００７３】
円弧孔１２及び直線孔１４には、それぞれ表示筐体２の背面側に形成された摺動軸１３及び回転軸１５が回転可能に係合している。摺動軸１３及び回転軸１５は、表示筐体２の背面に固定された軸保持部材１８に一体的に形成されており、それぞれ表示筐体２の中心に対してずれた位置に互いに一定間隔を隔てて配置されている。この軸保持部材１８は、保持部３ｂの前面に形成された開口３ｄを介して、保持部３ｂ内の保持板１６に係合している。
【００７４】
軸保持部材１８は、付勢手段としてのばねの一例である捩りコイルばね２０を介して、保持板１６に固定されている。捩りコイルばね２０は、その一端部が軸保持部材１８の摺動軸１３に結合されるとともに、他端部が保持板１６に形成された取付軸１９に結合されている。取付軸１９は、円弧孔１２の頂点に対する法線上に回転可能に配置されている。表示筐体２には、ヒンジ部３側から延びるフレキシブル基板２１の端部が回転軸１５の近傍において取り付けられており、このフレキシブル基板２１を介して、表示筐体２と操作筐体５とが電気的に接続されている。
【００７５】
図５及び図８に示す縦長状態では、回転軸１５が直線孔１４の下端に当接し、摺動軸１３が円弧孔１２の一端に当接している。この状態では、捩りコイルばね２０により摺動軸１３が円弧孔１２の一端側に付勢されており、外力が作用しない限り表示筐体２がこの状態のまま維持されるようになっている。
【００７６】
この状態から表示筐体２をヒンジ部３に対して回転させると、回転軸１５が直線孔１４に沿って上方へ移動するとともに、摺動軸１３が円弧孔１２に沿って他端側へ移動する。このとき、捩りコイルばね２０も取付軸１９を中心に回転し、その一端部と他端部とが互いに近接するように縮められる。そして、図６及び図９に示すように表示筐体２が約４５°回転された状態では、回転軸１５が直線孔１４の上端に当接し、摺動軸１３が円弧孔１２の頂点に到達する。
【００７７】
この状態では、捩りコイルばね２０の一端部と他端部とが最も近接した状態となり、さらに表示筐体２が回転されると、摺動軸１３及び取付軸１９の左右の位置が逆転し、捩りコイルばね２０の一端部と他端部とが再び離れていく。したがって、表示筐体２は、図６及び図９に示す回転位置を超えて回転されると、その後は捩りコイルばね２０の付勢力によってさらに回転され、図７及び図１０に示すような横長状態となる。
【００７８】
表示筐体２が横長状態のときには、回転軸１５が直線孔１４の下端に当接し、摺動軸１３が円弧孔１２の他端に当接している。この状態では、捩りコイルばね２０により摺動軸１３が円弧孔１２の他端側に付勢されており、外力が作用しない限り表示筐体２がこの状態のまま維持されるようになっている。
【００７９】
図１１は、この携帯電話機１の電気的構成の一例を示したブロック図である。この携帯電話機１は、上述したメイン表示部２ａ、サブ表示部１１、受話用レシーバ８、送話用マイクロホン７及び操作キー４に加えて、スピーカ９、外部入出力端子１０、通信部２３、テレビ放送受信部２４及び回転位置検知部２５を備えており、それらの動作が、プロセッサからなる制御部３０により制御されるようになっている。
【００８０】
スピーカ９は、受話用レシーバ８から出力される場合よりも音声を増幅して出力することにより、表示筐体２から耳を離した状態で音声を聞くことができるようにするためのものである。また、外部出力端子１０にイヤホンマイクなどの外部入出力装置２６を接続すれば、その外部入出力装置２６を介して音声を入出力することができる。受話用レシーバ８、スピーカ９及び外部入出力端子１０は、それぞれ音声出力手段を構成している。
【００８１】
ここで、受話用レシーバ８は、表示筐体２の内面にユーザが耳を当てた状態で使用されるのに対して、スピーカ９及び外部入出力端子１０は、表示筐体２の内面からユーザが耳を離した状態で使用される。したがって、メイン表示部２ａに対するテレビ画像などの表示は、スピーカ９や外部入出力端子１０を使用しているときには見ることができるが、受話用レシーバ８を使用しているときには見ることができない。
【００８２】
スピーカ９を用いて相手方電話機との間で通話を行う場合には、相手方電話機からの音声が増幅されてスピーカ９から出力されるとともに、送話用マイクロホン７からの入力信号が増幅されることにより、携帯電話機１を把持することなく、いわゆるハンズフリーで通話を行うことができる。このとき、送話用マイクロホン７からの入力信号は、ハウリングを防止するためのキャンセル回路に入力されるようになっている。受話用レシーバ８による通常の通話とハンズフリーによる通話との切り替えは、操作キー４の操作により行うことができる。
【００８３】
外部入出力端子１０には、外部入出力装置２６の接続端子を着脱することができるようになっており、接続端子の着脱に基づいて、受話用レシーバ８による通常の通話と外部入出力装置２６による通話とが切り替えられるようになっている。すなわち、外部入出力装置２６の接続端子を外部入出力端子１０に取り付けることにより、通常の通話から外部入出力装置２６による通話に切り替えることができ、外部入出力装置２６の接続端子を外部入出力端子１０から取り外すことにより、受話用レシーバ８による通常の通話に戻すことができる。
【００８４】
通信部２３は、通信用アンテナ２３ａを介して基地局との間で電波の送受信を行うことにより、通話音の送受信を行っている。相手方電話機との間で通話状態が確立された状態では、ユーザの通話音に基づく音声信号が通信部２３から送信され、相手方電話機からの通話音に基づく音声信号が通信部２３で受信されることにより、通話音がリアルタイムで送受信される。
【００８５】
テレビ放送受信部２４は、テレビ放送受信用アンテナ２４ａを介して、テレビ局から発信されているテレビ放送波を受信するためのものである。テレビ局から発信されているテレビ放送波には、アナログ放送に対応したアナログ放送波と、デジタル放送に対応したデジタル放送波とが含まれている。このテレビ放送受信部２４が受信するデジタル放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報が含まれている。
【００８６】
テレビ放送受信部２４で受信したテレビ放送波に基づいて、メイン表示部２ａにテレビ画像を表示するとともに、そのテレビ画像に対応するテレビ音声をスピーカ９又は外部入出力端子１０から出力することにより、テレビ放送を視聴することができる。また、テレビ放送波に含まれる文字情報を抽出してメイン表示部２ａに表示させることにより、テレビ画像とともに字幕などの文字情報を表示させることができる。
【００８７】
回転位置検知部２５は、例えば機械的又は電気的なスイッチにより構成され、表示筐体２の回転位置を検知する。この回転位置検知部２５は、ユーザによる表示筐体２の回転操作を検出する回転操作検出手段である。
【００８８】
操作キー４には、通話状態が確立されているときに、相手方電話機への通話音の出力を停止させて保留状態とするための保留ボタン４ａが含まれる。通話状態が確立された状態で保留ボタン４ａが操作されると、ユーザの音声が相手方電話機において聞こえなくなり、携帯電話機１から相手方電話機への出力信号に基づいて、相手方電話機において音楽などの保留音が聞こえるようになっている。
【００８９】
図１２は、通信部２３及びテレビ放送受信部２４で信号を受信したときの動作について説明するためのブロック図である。本実施の形態において、制御部３０は、プログラム処理を実行することにより、着信処理部３１、応答部３２、録画部３３、テレビ出力部３４及び出力選択部３９として機能する。
【００９０】
相手方電話機からの呼出信号が通信部２３で受信された場合には、着信処理部３１において、ユーザのオフフック操作による応答を可能にするための着信処理が行われる。着信処理中は、通常、相手方電話機から呼出し中である旨を報知するための着信音がスピーカ９から出力される。着信処理は、相手方電話機からの呼出しが中止されるまで、又はユーザによりオフフック操作が行われるまで継続される。
【００９１】
ここで、オフフック操作には、ユーザが相手方電話機からの呼出しに対して応答するためのあらゆる操作が含まれるものとし、例えば、操作キー４の操作によるものであってもよいし、着信処理中に表示筐体２を横長状態から縦長状態に回転させる操作によるものであってもよい。
【００９２】
着信処理中に、ユーザがオフフック操作を行うことにより相手方電話機からの呼出しに応答した場合には、通信部２３から相手方電話機に応答信号が送信されることにより通話状態が確立され、相手方電話機との間で通話音の送受信が可能になる。通話状態が確立された状態では、相手方電話機からの音声が、受話用レシーバ８、スピーカ９及び外部入出力端子１０に接続された外部入出力装置２６のいずれかから出力される。相手方電話機からの音声を受話用レシーバ８、スピーカ９及び外部入出力端子１０に接続された外部入出力装置２６のいずれから出力するかは、出力選択部３９で選択されるようになっている。
【００９３】
テレビ放送受信部２４においてテレビ放送波を受信しているときには、そのテレビ放送波に基づくテレビ画像、テレビ音声及び文字情報等を表す信号が、録画部３３を介してテレビ出力部３４に入力される。録画部３３は、必要に応じて、テレビ放送受信部２４において受信されるテレビ放送波に基づいて、テレビ画像、テレビ音声及び文字情報等をメモリ（図示せず）に記録することにより、テレビ放送の録画を行うことができる。
【００９４】
テレビ出力部３４には、テレビ画像表示部３５とテレビ音声出力部３６とが含まれている。テレビ画像表示部３５は、テレビ放送波に基づくテレビ画像や文字情報をメイン表示部２ａに表示させるものであり、メイン表示部２ａに表示させる画像を回転させるための画像回転部３７と、テレビ放送波に含まれる文字情報を抽出してメイン表示部２ａに表示させるための文字情報表示部３８とが含まれる。テレビ音声出力部３６は、テレビ放送波に基づくテレビ音声をスピーカ９又は外部入出力端子１０に接続された外部入出力装置２６に出力する。
【００９５】
画像回転部３７は、テレビ放送受信部２４においてテレビ放送波を受信しているときに、回転位置検知部２５からの入力信号に基づいてメイン表示部２ａに表示させる画像を回転させる。すなわち、テレビ放送波の受信中、表示筐体２が縦長状態から横長状態に切り替えられた場合には、横長状態とされたメイン表示部２ａの短手方向を上下方向としてテレビ画像が表示され、表示筐体２が横長状態から縦長状態に切り替えられた場合には、縦長状態とされたメイン表示部２ａの長手方向を上下方向としてテレビ画像が表示されることにより、テレビ画像の方向が回転位置に合わせられるようになっている。
【００９６】
録画部３３及びテレビ出力部３４には、応答部３２からの信号が入力されるようになっている。また、テレビ音声出力部３６には、通信部２３における呼出信号の受信や保留ボタン４ａの操作に基づいて信号が入力されるようになっている。
【００９７】
図１３及び図１４は、テレビ放送波の受信中に相手方電話機から呼出しがあった場合に行われる呼出応答処理の一例を示したフローチャートである。テレビ放送受信部２４においてテレビ放送波を受信しているときに（図１３のステップＳ１０１でＹｅｓ）、相手方電話機から呼出信号を受信した場合（ステップＳ１０２でＹｅｓ）、テレビ音声出力部３６は、そのとき出力していたテレビ音声の出力を停止させる（ステップＳ１０３）。これにより、テレビ放送波に基づくテレビ画像はメイン表示部２ａに表示された状態のまま、そのテレビ画像に対応するテレビ音声が聞こえない状態となる。
【００９８】
このとき、文字情報表示部３８は、テレビ放送波に含まれる文字情報を抽出して、テレビ画像に対応する字幕をメイン表示部２ａに表示させる（ステップＳ１０４）。このようにテレビ音声の出力が停止された状態で、着信処理部３１が着信処理を行うことにより（ステップＳ１０５）、着信処理に基づいて出力される着信音をユーザに聞こえやすくすることができる。
【００９９】
着信処理に基づく着信音は、そのとき使用していた音声出力手段から出力される。すなわち、スピーカ９からテレビ音声を出力させてテレビ放送を視聴していた場合には、スピーカ９から着信音が出力され、外部入出力端子１０に接続された外部入出力装置２６からテレビ音声を出力させてテレビ放送を視聴していた場合には、外部入出力装置２６から着信音が出力される。また、着信処理時に着信音を出力しないよう設定されている場合には、携帯電話機１内に備えられたバイブレーション装置（図示せず）の振動や、メイン表示部２ａに対する表示等により、相手方電話機から呼出し中である旨が報知されるようになっていてもよい。
【０１００】
その後、ユーザがオフフック操作を行うことにより相手方電話機からの呼出しに応答した場合には（ステップＳ１０６でＹｅｓ）、通話状態が確立されて、出力選択部３９がテレビ音声を出力していたときと同一の音声出力手段を選択して相手方電話機からの音声を出力させる。
【０１０１】
これにより、スピーカ９からテレビ音声を出力させてテレビ放送を視聴していた場合には、相手方電話機からの音声がスピーカ９から出力され、外部入出力端子１０に接続された外部入出力装置２６からテレビ音声を出力させてテレビ放送を視聴していた場合には、相手方電話機からの音声が外部入出力装置２６から出力される。したがって、着信処理時に着信音が出力された場合には、その着信音が出力されたときと同一の音声出力手段から音声が出力されることとなる。
【０１０２】
本実施の形態では、メイン表示部２ａにテレビ画像を表示した状態で相手方電話機から呼出しがあった場合に、メイン表示部２ａにテレビ画像を表示した状態のまま、そのテレビ画像に対応するテレビ音声の出力を停止させて、相手方電話機との間で通話を行うことができる。このとき、テレビ画像に対応する字幕をメイン表示部２ａに表示させることができるので、相手方電話機との間で通話を行っている間も、テレビ画像及び字幕に基づいてテレビ放送を継続して見ることができる。
【０１０３】
また、メイン表示部２ａにテレビ画像を表示した状態で相手方電話機から呼出しがあった場合に、そのときテレビ音声を出力していた音声出力手段を用いて相手方電話機からの音声を出力させることができる。したがって、相手方電話機との間で通話を行うために音声出力手段を切り替える操作を行う必要がなく、それまで使用していた音声出力手段を用いて続けて通話を行うことができるので、利便性を向上させることができる。
【０１０４】
上記のようにして、スピーカ９又は外部入出力端子１０に接続された外部入出力装置２６が選択されて通話状態が確立された状態において、ユーザは、所定の操作を行うことにより、相手方電話機からの音声を受話用レシーバ８から出力されるように切り替えることができるようになっている。
【０１０５】
このような切替操作は、例えば、スピーカ９から音声を出力している状態であれば、操作キー４の操作により行い、外部入出力装置２６から音声を出力している状態であれば、その外部入出力装置２６の接続端子を外部入出力端子１０から取り外す操作により行うことができる。また、表示筐体２を横長状態から縦長状態に回転させる操作に基づいて、手方電話機からの音声が受話用レシーバ８から出力されるように切り替えられてもよい。
【０１０６】
相手方電話機からの音声が受話用レシーバ８から出力されるように切り替えられると（ステップＳ１０８でＹｅｓ）、テレビ画像表示部３５は、メイン表示部２ａに対するテレビ画像の表示を停止させるとともに（ステップＳ１０９）、録画部３３がその後のテレビ放送波に基づくテレビ画像やテレビ音声をメモリに記録することにより、テレビ放送の録画を行う（ステップＳ１１０）。
【０１０７】
このように、スピーカ９又は外部入出力装置２６により相手方電話機からの音声を出力しながら、メイン表示部２ａに表示されているテレビ画像を見ているときに、受話用レシーバ８により音声を出力するための操作が行われたことに基づいて、メイン表示部２ａに対するテレビ画像の表示を停止させることができる。受話用レシーバ８により音声を出力するための操作が行われた場合、ユーザは通話のために表示筐体２の内面に耳を当てなければならず、メイン表示部２ａを見ることはできなくなるので、自動的にテレビ画像の表示を停止させることにより、消費電力を効率的に低減することができる。
【０１０８】
また、メイン表示部２ａに対する表示が停止されることにより視聴できなくなったテレビ放送を録画しておいて、後からそのテレビ放送を見ることができるので、利便性を向上させることができる。
【０１０９】
一方、通話状態が確立された状態で保留ボタン４ａが操作され、その旨の入力信号に基づいて応答部３２が相手方電話機への通話音の出力を停止させて保留状態とした場合には（図１３のステップＳ１０８でＮｏ、図１４のステップＳ２０１でＹｅｓ）、テレビ音声出力部３６が、そのときメイン表示部２ａに表示されているテレビ画像に対応するテレビ音声を出力させる（ステップＳ２０２）。このとき、テレビ音声は、スピーカ９又は外部入出力装置２６のうち相手方電話機からの音声が出力されていたときと同一の音声出力手段から出力される。
【０１１０】
このように、保留状態とされている間は、テレビ画像に対応するテレビ音声が出力されるが、保留ボタン４ａが再度操作されて保留状態が解除されると（ステップＳ２０３でＹｅｓ）、テレビ音声出力部３６は、テレビ音声の出力を再び停止させる（ステップＳ２０４）。したがって、メイン表示部２ａにテレビ画像を表示したままテレビ音声の出力を停止させて相手方電話機との間で通話を行っているときに、テレビ画像の内容からテレビ音声を聞きたくなった場合には、保留状態としてテレビ音声を出力させることにより一時的にテレビ音声を聞くことができるので、利便性がさらに向上する。
【０１１１】
本実施の形態では、テレビ放送波の受信中に相手方電話機から呼出しがあった場合、テレビ音声出力部３６は、そのとき出力していたテレビ音声の出力を完全に停止させるような構成について説明したが、このような構成に限らず、テレビ音声の音量を通話の妨げとならない程度で低下させるような構成であってもよい。
【０１１２】
また、本実施の形態では、表示筐体２がメイン表示部２ａに水平な面内で回転可能な携帯電話機１について説明したが、本発明は、このような携帯電話機１に限らず、表示筐体２がメイン表示部２ａに水平な面内で回転できないような構成の携帯電話機にも適用可能である。
【０１１３】
実施の形態２．
図１５は、本発明の実施の形態２による携帯電話機１の電気的構成の一例を示したブロック図である。この携帯電話機１は、実施の形態１と同様に、メイン表示部２ａ、サブ表示部１１、受話用レシーバ８、送話用マイクロホン７、操作キー４、スピーカ９、外部入出力端子１０、通信部２３、テレビ放送受信部２４及び回転位置検知部２５を備えており、それらの動作が、プロセッサからなる制御部３０により制御されるようになっている。また、この携帯電話機１は、図１〜図１０に示した実施の形態１と同様の構成を有している。実施の形態１と同様の構成については、図に同一符号を付して説明を省略することとする。
【０１１４】
図１６は、通信部２３及びテレビ放送受信部２４で信号を受信したときの動作について説明するためのブロック図である。本実施の形態において、制御部３０は、プログラム処理を実行することにより、着信処理部４１、応答部４２、録画部４３及びテレビ出力部４４として機能する。
【０１１５】
相手方電話機からの呼出信号が通信部２３で受信された場合には、着信処理部４１において、ユーザのオフフック操作による応答を可能にするための着信処理が行われる。着信処理中は、通常、相手方電話機から呼出し中である旨を報知するための着信音がスピーカ９から出力される。着信処理は、相手方電話機からの呼出しが中止されるまで、又はユーザによりオフフック操作が行われるまで継続される。ここで、オフフック操作には、ユーザが相手方電話機からの呼出しに対して応答するためのあらゆる操作が含まれるものとする。
【０１１６】
着信処理中に、ユーザがオフフック操作を行うことにより相手方電話機からの呼出しに応答した場合には、通信部２３から相手方電話機に応答信号が送信されることにより通話状態が確立され、相手方電話機との間で通話音の送受信が可能になる。通話状態が確立された状態では、相手方電話機からの音声が、受話用レシーバ８、スピーカ９及び外部入出力端子１０に接続された外部入出力装置２６のいずれかから出力される。
【０１１７】
テレビ放送受信部２４においてテレビ放送波を受信しているときには、そのテレビ放送波に基づくテレビ画像、テレビ音声及び文字情報等を表す信号が、録画部４３を介してテレビ出力部４４に入力される。録画部４３は、必要に応じて、テレビ放送受信部２４において受信されるテレビ放送波に基づいて、テレビ画像、テレビ音声及び文字情報等をメモリ（図示せず）に記録することにより、テレビ放送の録画を行うことができる。
【０１１８】
テレビ出力部４４には、テレビ画像表示部４５とテレビ音声出力部４６とが含まれている。テレビ画像表示部４５は、テレビ放送波に基づくテレビ画像や文字情報をメイン表示部２ａに表示させるものであり、メイン表示部２ａに表示させる画像を回転させるための画像回転部４７と、テレビ放送波に含まれる文字情報を抽出してメイン表示部２ａに表示させるための文字情報表示部４８とが含まれる。テレビ音声出力部４６は、テレビ放送波に基づくテレビ音声をスピーカ９又は外部入出力端子１０に接続された外部入出力装置２６に出力する。録画部４３及びテレビ出力部４４には、応答部４２からの信号が入力されるようになっている。
【０１１９】
図１７は、表示筐体２が縦長状態から横長状態に切り替えられたときに行われる横長状態切替処理の一例を示したフローチャートである。表示筐体２が回転されて、回転位置検知部２５が縦長状態から横長状態に切り替えられたことを検知した場合（ステップＳ３０１でＹｅｓ）、そのときテレビ放送受信部２４においてテレビ放送波を受信していれば（ステップＳ３０２でＹｅｓ）、そのテレビ放送波に基づくテレビ画像の表示が画像回転部４７により９０°回転される（ステップＳ３０３）。これにより、横長状態とされたメイン表示部２ａの短手方向を上下方向としてテレビ画像が表示され、テレビ画像の方向を回転位置に合わせることができる。
【０１２０】
一方、表示筐体２が縦長状態から横長状態に切り替えられたときに、テレビ放送受信部２４においてテレビ放送波を受信していなければ（ステップＳ３０２でＮｏ）、テレビ放送波の受信が開始され、そのテレビ放送波に基づくテレビ画像やテレビ音声がテレビ出力部４４から出力される（ステップＳ３０４）。これにより、表示筐体２を縦長状態から横長状態まで回転させるだけで、メイン表示部２ａにテレビ画像を自動的に表示させることができる。したがって、テレビ放送を視聴しようとしたときに、表示筐体２を回転させる操作及びテレビ画像やテレビ音声の出力を開始させるための操作を両方行う必要がなく、操作の煩わしさを低減することができる。
【０１２１】
図１８は、表示筐体２が横長状態から縦長状態に切り替えられたときに行われる縦長状態切替処理の一例を示したフローチャートである。表示筐体２が回転されて、回転位置検知部２５が横長状態から縦長状態に切り替えられたことを検知した場合（ステップＳ４０１でＹｅｓ）、そのときテレビ放送受信部２４においてテレビ放送波を受信しており（ステップＳ４０２でＹｅｓ）、かつ、着信処理部４１が着信処理を行っているときであれば（ステップＳ４０３でＹｅｓ）、応答部４２がその呼出しに応答して通話状態を確立させる（ステップＳ４０４）。このとき、表示筐体２を横長状態から縦長状態に切り替える操作が、ユーザによるオフフック操作として作用することとなる。
【０１２２】
その後、応答部４２からの入力信号に基づいて、テレビ出力部４４がテレビ放送波に基づくテレビ画像やテレビ音声の出力を停止させるとともに（ステップＳ４０５）、録画部４３がその後のテレビ放送波に基づくテレビ画像やテレビ音声をメモリに記録することにより、テレビ放送の録画を行う（ステップＳ４０６）。
【０１２３】
このように、表示筐体２が横長状態でメイン表示部２ａにテレビ画像を表示した状態で、着信処理が行われているときに、表示筐体２を横長状態から縦長状態まで回転させるだけで呼出しに応答することができる。したがって、テレビ放送を視聴しているときに相手方電話機から呼出しがあった場合に、表示筐体２を回転させるだけで呼出しに応答することができるので、表示筐体２を回転させる操作及び呼出しに応答するための操作を両方行う必要がなく、操作の煩わしさを低減することができる。
【０１２４】
また、相手方電話機からの呼出しに対して表示筐体２を回転させて応答することに基づいて、テレビ画像やテレビ音声の出力を停止させることができる。表示筐体２を横長状態から縦長状態に回転させて呼出しに応答する場合、ユーザは通話のために表示筐体２の内面に耳を当てなければならず、メイン表示部２ａを見ることはできなくなるので、自動的にテレビ画像やテレビ音声の出力を停止させることにより、消費電力を効率的に低減することができる。
【０１２５】
また、テレビ画像やテレビ音声の出力が停止されることにより視聴できなくなったテレビ放送を録画しておいて、後からそのテレビ放送を見ることができる。したがって、ユーザは、テレビ放送の視聴中に相手方電話機から呼出しがあった場合でも、その後のテレビ画像は自動的に録画されるという安心感により、ためらうことなく呼出しに応答して通話を行うことができる。これにより、テレビ放送の視聴中に相手方電話機から呼出しがあった場合の利便性を向上させることができる。
【０１２６】
一方、表示筐体２が横長状態から縦長状態に切り替えられたときに、テレビ放送受信部２４においてテレビ放送波を受信しており、かつ、着信処理部４１が着信処理を行っていないときであれば（ステップＳ４０３でＮｏ）、そのテレビ放送波に基づくテレビ画像の表示が画像回転部４７により９０°回転される（ステップＳ４０７）。これにより、縦長状態とされたメイン表示部２ａの長手方向を上下方向としてテレビ画像が表示され、テレビ画像の方向を回転位置に合わせることができる。
【０１２７】
このとき、テレビ放送波に基づくテレビ画像のアスペクト比は１６：９の横長であるのに対して、メイン表示部２ａは縦長状態であるため、テレビ画像の横幅を合わせてメイン表示部２ａに表示させた場合、メイン表示部２ａの表示画面に空スペースが生じる。この空スペースには、文字情報表示部４８によりテレビ画像に対応する字幕などの文字情報が表示される（ステップＳ４０８）。したがって、文字情報の表示を望む場合には、表示筐体２を縦長状態まで回転させるだけで文字情報を表示させることができるので、利便性をさらに向上させることができる。
【０１２８】
本実施の形態では、表示筐体２は一定位置に固定された回転軸を中心に回転するのではなく、表示筐体２の回転に伴って上下動する回転軸を中心に回転するような構成について説明したが、このような構成に限らず、本発明は、メイン表示部２ａに水平な面内で表示筐体２が縦長状態と横長状態との間で回転可能な構成であれば、表示筐体２が固定された回転軸を中心に回転するような携帯電話機にも適用可能である。
【０１２９】
実施の形態３．
図１９は、本発明の実施の形態３による携帯電話機１の電気的構成の一例を示したブロック図である。この携帯電話機１は、実施の形態１と同様に、メイン表示部２ａ、サブ表示部１１、受話用レシーバ８、送話用マイクロホン７、操作キー４、スピーカ９、外部入出力端子１０、通信部２３、テレビ放送受信部２４及び回転位置検知部２５を備えるとともに、メモリ２７を備えており、それらの動作が、プロセッサからなる制御部３０により制御されるようになっている。また、この携帯電話機１は、図１〜図１０に示した実施の形態１と同様の構成を有している。実施の形態１と同様の構成については、図に同一符号を付して説明を省略することとする。
【０１３０】
通信部２３は、通信用アンテナ２３ａを介して基地局との間で電波の送受信を行うことにより、通話音だけでなく電子メールの送受信も行っている。電子メールを送受信する際には、電子メールの本文の内容である文字情報の他に、その電子メールの件名を表す文字情報や送信元のメールアドレスなどの情報が、通信部２３において送受信される。すなわち、電子メールを送信する際には、この携帯電話機１のユーザが操作キー４の操作により作成した電子メールの本文及び件名の文字情報、並びにユーザ側のメールアドレスなどのメール情報が、相手方の電話機やパーソナルコンピュータ（以下、これらの電子メールを送受信可能な相手方の通信端末を総称して「相手方通信端末」と呼ぶ。）に送信される。一方、電子メールを受信する際には、相手方通信端末において作成された電子メールの本文及び件名の文字情報、並びに相手方通信端末のメールアドレスなどのメール情報が受信される。
【０１３１】
図２０は、通信部２３及びテレビ放送受信部２４で信号を受信したときの動作について説明するためのブロック図である。本実施の形態において、制御部３０は、プログラム処理を実行することにより、文字情報抽出部５１、スクロール表示部５２、アプリケーション起動部５３及びテレビ出力部５４として機能する。
【０１３２】
テレビ放送受信部２４においてテレビ放送波を受信しているときには、そのテレビ放送波に基づくテレビ画像、テレビ音声及び文字情報等を表す信号が、テレビ出力部５４に入力される。テレビ出力部５４には、テレビ画像表示部５５とテレビ音声出力部５６とが含まれている。
【０１３３】
テレビ画像表示部５５は、テレビ放送波に基づくテレビ画像や文字情報をメイン表示部２ａに表示させるものであり、メイン表示部２ａに表示させる画像を回転させるための画像回転部５７が含まれる。テレビ音声出力部５６は、テレビ放送波に基づくテレビ音声をスピーカ９又は外部入出力端子１０に接続された外部入出力装置２６に出力する。
【０１３４】
画像回転部５７は、テレビ放送受信部２４においてテレビ放送波を受信しているときに、回転位置検知部２５からの入力信号に基づいてメイン表示部２ａに表示させる画像を回転させる。すなわち、テレビ放送波の受信中、表示筐体２が縦長状態から横長状態に切り替えられた場合には、横長状態とされたメイン表示部２ａの短手方向を上下方向としてテレビ画像が表示され、表示筐体２が横長状態から縦長状態に切り替えられた場合には、縦長状態とされたメイン表示部２ａの長手方向を上下方向としてテレビ画像が表示されることにより、テレビ画像の方向が回転位置に合わせられるようになっている。
【０１３５】
相手方通信端末からの電子メールを通信部２３で受信した場合には、その電子メールの本文や件名、相手方通信端末のメールアドレスなどのメール情報がメモリ２７に格納される。このとき、メイン表示部２ａが横長状態とされており、かつ、テレビ出力部５４においてテレビ画像及びテレビ音声が出力されていれば、文字情報抽出部５１が、メール情報から電子メールの本文の文字情報を抽出する。
【０１３６】
抽出された文字情報は、スクロール表示部５２によりメイン表示部２ａにスクロール表示される。ここで、スクロール表示とは、メイン表示部２ａの一定領域内において、時間経過とともに移動するように文字情報が表示される表示態様であり、いわゆるマーキー表示を意味する。すなわち、電子メールの本文の文字情報が、その文頭から順次にメイン表示部２ａに表示され、メイン表示部２ａ上において一定方向に移動した後、文頭から順次にメイン表示部２ａから消去される。
【０１３７】
アプリケーション起動部５３は、横長状態のメイン表示部２ａでテレビ放送を視聴しているときに電子メールを受信し、その電子メールの本文の文字情報がメイン表示部２ａにスクロール表示された場合に、そのスクロール表示の開始後、ユーザ操作のタイミングに応じたアプリケーションを起動させる。本実施の形態では、上記ユーザ操作は、表示筐体３を横長状態から縦長状態まで回転させる操作であり、その検知信号が回転位置検知部２５からアプリケーション起動部５３に入力されるようになっている。
【０１３８】
アプリケーション起動部５３は、メール閲覧アプリケーションを起動させるためのメール閲覧アプリケーション起動部５３ａと、メール作成アプリケーションを起動させるためのメール作成アプリケーション起動部５３ｂとからなる。メール閲覧アプリケーションは、受信した電子メールの本文の文字情報を閲覧するためのアプリケーションである。また、メール作成アプリケーションは、受信した電子メールに対する返信用の電子メールを作成するためのアプリケーションである。
【０１３９】
図２１は、図２０のスクロール表示部５２が受信した電子メールの本文の文字情報をメイン表示部２ａにスクロール表示する態様の一例を示した図である。メイン表示部２ａが横長状態でテレビ画像を表示しているときに電子メールを受信すると、メイン表示部２ａがテレビ画像表示領域２ｂ及びスクロール表示領域２ｃに分割される。そして、テレビ画像表示領域２ｂには、それまでメイン表示部２ａに表示されていたテレビ画像が継続して表示され、スクロール表示領域２ｃには、受信した電子メールの本文の文字情報がスクロール表示される。
【０１４０】
スクロール表示領域２ｃは、メイン表示部２ａの長辺に沿って、すなわち横長状態とされたメイン表示部２ａの上辺又は下辺に沿って配置される。図２１の例では、スクロール表示領域２ｃは、横長状態とされたメイン表示部２ａの下辺に沿って配置されており、左右方向に直線状に延びる１行分の表示領域として構成されている。
【０１４１】
スクロール表示領域２ｃには、受信した電子メールの本文の文字情報が、スクロール表示領域２ｃの右端から左端へとユーザが読むことができる程度の速度でスクロール表示される。より具体的には、まず、文頭の文字情報がスクロール表示領域２ｃの右端に表示された後、その文頭の文字情報が時間経過とともに左方へ移動し、当該文頭の文字情報に後続する文字情報が順次にスクロール表示領域２ｃの右端に表示される（図２１（ａ）参照）。
【０１４２】
その後、文頭の文字情報がスクロール表示領域２ｃの左端まで移動すると（図２１（ｂ）参照）、その文頭の文字情報がスクロール表示領域２ｃに対して非表示とされ、後続する文字情報がスクロール表示領域２ｃの左端に表示される。このようにして、文頭の文字情報に後続する文字情報が順次にスクロール表示領域２ｃの左端に表示され、そして順次に非表示とされることにより、受信した電子メールの本文の文字数がスクロール表示領域２ｃに表示可能な文字数よりも多い場合であっても、文末の文字情報までスクロール表示領域２ｃに表示することができるようになっている（図２１（ｃ）参照）。
【０１４３】
受信した電子メールの本文の文字数がスクロール表示領域２ｃに表示可能な文字数よりも多い場合には、図２１に示したように、文頭の文字情報がスクロール表示領域２ｃに対して非表示となった後、文末の文字情報がスクロール表示領域２ｃの右端に表示された時点で、本文の文字情報のすべてがスクロール表示領域２ｃに表示される。一方、受信した電子メールの本文の文字数がスクロール表示領域２ｃに表示可能な文字数以下である場合には、文頭の文字情報がスクロール表示領域２ｃに対して非表示となる前に、文末の文字情報がスクロール表示領域２ｃの右端に表示され、この時点で本文の文字情報のすべてがスクロール表示領域２ｃに表示されることとなる。
【０１４４】
このように、メイン表示部２ａにテレビ画像を表示している状態で電子メールを受信した場合に、テレビ画像を表示した状態のまま、受信した電子メールの本文の文字情報をメイン表示部２ａにスクロール表示させることができるので、テレビ放送を視聴しながら受信した電子メールの本文の文字情報を閲覧することができる。受信した電子メールの本文の文字情報をメイン表示部２ａにスクロール表示させることにより、テレビ画像を表示させるためのスペースを確保しつつ電子メールの全文を表示させることができる。
【０１４５】
したがって、テレビ放送を視聴しながら受信した電子メールの本文の文字情報をスクロール表示で確認し、直ちに全文を閲覧したい場合や返信用の電子メールを作成したい場合には、ユーザ操作によりアプリケーションを起動させることができる。一方、テレビ放送の視聴を優先したい場合には、その時点では上記ユーザ操作を行わずにテレビ放送を視聴し、後でアプリケーションを起動させればよい。
【０１４６】
図２２は、スクロール表示の開始後にユーザ操作に応じてアプリケーション起動部５３がアプリケーションを起動させる態様の一例を示した図である。スクロール表示の開始後に、ユーザが所定のタイミングで表示筐体３を横長状態から縦長状態まで回転させると、メイン表示部２ａがテレビ画像表示領域２ｄ及びメール表示領域２ｅに分割される。
【０１４７】
本実施の形態では、縦長状態とされたメイン表示部２ａの上側にテレビ画像表示領域２ｄが配置され、下側にメール表示領域２ｅが配置される。テレビ画像は横長のアスペクト比を有しているので、縦長状態とされたメイン表示部２ａの上側にテレビ画像を表示した場合には、その下側に空スペースが形成され、当該空スペースにメール表示領域２ｅを配置することができる。ただし、縦長状態とされたメイン表示部２ａの下側にテレビ画像表示領域２ｄが配置され、上側にメール表示領域２ｅが配置されてもよい。
【０１４８】
テレビ画像表示領域２ｄには、それまで横長状態のメイン表示部２ａにおけるテレビ画像表示領域２ｂに表示されていたテレビ画像が継続して表示される。メール表示領域２ｅには、受信した電子メールの本文の文字情報を閲覧するための画面（図２２（ａ）参照）、又は受信した電子メールに対する返信用の電子メールを作成するための画面（図２２（ｂ）参照）が表示される。
【０１４９】
図２１（ａ）や図２１（ｂ）に示すように、受信した電子メールの本文の文字情報がメイン表示部２ａにすべてスクロール表示される前に、ユーザが表示筐体３を横長状態から縦長状態まで回転させた場合には、メール閲覧アプリケーションが起動され、図２２（ａ）に示すようなメール閲覧画面がメイン表示部２ａに表示される。このメール閲覧画面におけるメール表示領域２ｅには、受信した電子メールの送信元である相手方通信端末の所有者名又はメールアドレスとともに、相手方通信端末において作成された電子メールの件名及び本文の文字情報が表示される。
【０１５０】
本実施の形態では、受信した電子メールの本文の文字情報がメイン表示部２ａにすべてスクロール表示される前に、ユーザが表示筐体３を横長状態から縦長状態まで回転させた場合、既にメイン表示部２ａにスクロール表示された文字情報以外の文字情報、すなわち既にスクロール表示された文字情報に後続する文字情報が、メール表示領域２ｅに表示されるようになっている。
【０１５１】
例えば、図２１（ａ）〜（ｃ）のスクロール表示部２ｃに示すような一連の本文を電子メールとして受信した場合に、図２１（ａ）に示した状態まで本文がスクロール表示された時点で、ユーザが表示筐体３を回転させたときには、図２２に示すように、既にスクロール表示された文字情報に後続する文字情報のみがメール表示領域２ｅに表示されることとなる。
【０１５２】
このように、テレビ放送を視聴しながら受信した電子メールの本文の文字情報をスクロール表示により確認している途中で、直ちに全文を閲覧したい場合には、その電子メールの本文の文字情報がメイン表示部２ａにすべてスクロール表示される前にユーザ操作を行うことにより、メール閲覧アプリケーションを起動させ、既にメイン表示部２ａにスクロール表示された文字情報以外の文字情報を閲覧することができる。したがって、最低限の表示で受信した電子メールの全文を閲覧することができる。
【０１５３】
一方、図２１（ｃ）に示すように受信した電子メールの本文の文字情報がメイン表示部２ａにすべてスクロール表示された後、一定時間内にユーザが表示筐体３を横長状態から縦長状態まで回転させた場合には、メール作成アプリケーションが起動され、図２２（ｂ）に示すようなメール作成画面がメイン表示部２ａに表示される。このメール作成画面におけるメール表示領域２ｅには、返信用の電子メールの送信先である相手方通信端末の所有者名又はメールアドレスとともに、この携帯電話機１において作成した電子メールの件名及び本文の文字情報が表示される。
【０１５４】
このとき、受信した電子メールの送信元である相手方通信端末のメールアドレスが、返信用の電子メールの送信先として自動的に指定されるとともに、返信用の電子メールの件名が、受信した電子メールの件名の文頭に「Ｒｅ．」を付した件名に自動的に設定される。したがって、この携帯電話機１のユーザは、メール作成アプリケーションが起動されてメイン表示部２ａにメール作成画面が表示された後、操作キー４を操作して返信用の電子メールの本文のみを作成すればよい。ただし、返信用の電子メールの件名は、操作キー４の操作により変更することも可能である。
【０１５５】
なお、メール作成アプリケーション起動時に、そのとき視聴しているテレビ放送に関連する情報が、返信用の電子メールの本文に自動的に組み込まれるようになっていてもよい。この場合、受信したデジタル放送波に含まれるテレビ番組名などの文字情報が、返信用の電子メールの本文に組み込まれるようになっていてもよい。
【０１５６】
このように、テレビ放送を視聴しながら受信した電子メールの本文の文字情報をスクロール表示により確認し終わった後、その電子メールに対する返信用の電子メールを作成したい場合には、スクロール表示終了後の一定時間内にユーザ操作を行うことにより、メール作成アプリケーションを起動させ、返信用の電子メールを作成することができる。これにより、送信先のメールアドレスを指定する操作を省略することができ、返信用の電子メールを容易に送信することができる。
【０１５７】
図２３は、表示筐体２が横長状態のときに電子メールを受信した場合に行われるメール受信処理の一例を示したフローチャートである。表示筐体２が横長状態のときに相手方通信端末から電子メールを受信した場合に、テレビ放送受信部２４においてテレビ放送波を受信していなければ（ステップＳ５０１でＮｏ）、受信した電子メールの本文や件名、相手方通信端末のメールアドレスなどのメール情報がメモリ２７に格納される（ステップＳ５１２）。このとき、電子メールを受信した旨がメイン表示部２ａに表示され、その後にユーザが操作キー４を操作することにより、メモリ２７に格納されているメール情報を読み出して閲覧することができる。
【０１５８】
一方、表示筐体２が横長状態のときに相手方通信端末から電子メールを受信した場合に、テレビ放送受信部２４においてテレビ放送波を受信していれば（ステップＳ５０１でＹｅｓ）、受信した電子メールの本文や件名、相手方通信端末のメールアドレスなどのメール情報がメモリ２７に格納されるとともに（ステップＳ５０２）、文字情報抽出部５１によりメール情報から本文の文字情報が抽出される（ステップＳ５０３）。そして、メイン表示部２ａがテレビ画像表示領域２ｂ及びスクロール表示領域２ｃに分割され、スクロール表示部５２により、抽出された電子メールの本文の文字情報がスクロール表示領域２ｃにスクロール表示される（ステップＳ５０４）。
【０１５９】
スクロール表示開始後に、表示筐体３を横長状態から縦長状態まで回転させるユーザ操作が行われた場合（ステップＳ５０５でＹｅｓ）、そのユーザ操作が、スクロール表示領域２ｃに本文の文字情報がすべてスクロール表示される前であれば（ステップＳ５０６でＹｅｓ）、メール閲覧アプリケーション起動部５３ａによりメール閲覧アプリケーションが起動され（ステップＳ５０７）、図２２（ａ）に示したようなメール閲覧画面がメイン表示部２ａに表示される（ステップＳ５０８）。
【０１６０】
これに対して、スクロール表示領域２ｃに本文の文字情報がすべてスクロール表示された後（ステップＳ５０６でＮｏ）、一定時間内にユーザ操作が行われた場合には（ステップＳ５０９でＹｅｓ）、メール作成アプリケーション起動部５３ｂによりメール作成アプリケーションが起動され（ステップＳ５１０）、図２２（ｂ）に示したようなメール作成画面がメイン表示部２ａに表示される（ステップＳ５１１）。
【０１６１】
本実施の形態では、受信した電子メールの本文の文字情報をメイン表示部２ａにスクロール表示するような構成について説明したが、このような構成に限らず、受信した電子メールの件名をメイン表示部２ａにスクロール表示するような構成であってもよい。この場合、受信した電子メールの本文に件名を加えてメイン表示部２ａにスクロール表示させてもよいし、さらに相手方通信端末の所有者名又はメールアドレスを加えてメイン表示部２ａにスクロール表示させてもよい。
【符号の説明】
【０１６２】
１  携帯電話機
２  表示筐体
２ａ  メイン表示部
４  操作キー
４ａ  保留ボタン
５  操作筐体
２３  通信部
２４  テレビ放送受信部
２５  回転位置検知部
３０  制御部
３１  着信処理部
３２  応答部
３３  録画部
３４  テレビ出力部
３５  テレビ画像表示部
３６  テレビ音声出力部
３７  画像回転部
３８  文字情報表示部
３９  出力選択部
４１  着信処理部
４２  応答部
４３  録画部
４４  テレビ出力部
４５  テレビ画像表示部
４６  テレビ音声出力部
４７  画像回転部
４８  文字情報表示部
５１  文字情報抽出部
５２  スクロール表示部
５３  アプリケーション起動部
５３ａ  メール閲覧アプリケーション起動部
５３ｂ  メール作成アプリケーション起動部
５４  テレビ出力部
５５  テレビ画像表示部
５６  テレビ音声出力部
５７  画像回転部
【図１】
2011019234.tif 000003
【図２】
2011019234.tif 000004
【図３】
2011019234.tif 000005
【図４】
2011019234.tif 000006
【図５】
2011019234.tif 000007
【図６】
2011019234.tif 000008
【図７】
2011019234.tif 000009
【図８】
2011019234.tif 000010
【図９】
2011019234.tif 000011
【図１０】
2011019234.tif 000012
【図１１】
2011019234.tif 000013
【図１２】
2011019234.tif 000014
【図１３】
2011019234.tif 000015
【図１４】
2011019234.tif 000016
【図１５】
2011019234.tif 000017
【図１６】
2011019234.tif 000018
【図１７】
2011019234.tif 000019
【図１８】
2011019234.tif 000020
【図１９】
2011019234.tif 000021
【図２０】
2011019234.tif 000022
【図２１】
2011019234.tif 000023
【図２２】
2011019234.tif 000024
【図２３】
2011019234.tif 000025
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
筐体面に長方形の表示画面が形成された表示筐体と、
上記表示画面の長手方向の一端側における上記表示筐体内に配置され、上記筐体面にユーザが耳を当てた状態で使用される音声出力手段と、
上記表示画面が縦長状態及び横長状態となるように、上記表示筐体を上記表示画面に水平な面内で回転可能に保持する保持手段と、
ユーザによる上記表示筐体の回転操作を検出する回転操作検出手段と、
テレビ放送波を受信するテレビ放送受信手段と、
受信したテレビ放送波に基づいて生成され、上記回転操作に応じて回転させたテレビ画像を上記表示画面に表示させるテレビ画像表示手段と、
呼出信号及び応答信号の送受信を行う無線通信手段と、
上記呼出信号に対する応答可能期間中に、テレビ画像を表示している上記表示画面を横長状態から縦長状態へ遷移させる回転操作に基づいて、応答信号を生成して通話状態を確立させる着信応答手段とを備えたことを特徴とする携帯電話機。
【請求項２】
上記テレビ画像表示手段は、上記着信応答手段が通話状態を確立させた場合に、上記表示画面に対するテレビ画像の表示を停止させる画像表示停止手段を有することを特徴とする請求項１に記載の携帯電話機。
【請求項３】
上記画像表示停止手段がテレビ画像の表示を停止させた場合に、テレビ放送波に基いてその後のテレビ画像を記録する録画手段を備えたことを特徴とする請求項２に記載の携帯電話機。
【請求項４】
上記テレビ画像表示手段は、上記呼出信号に対する応答可能期間でないときに、テレビ画像を表示している上記表示画面を横長状態から縦長状態へ遷移させる回転操作に基づいて、上記表示画面に対するテレビ画像の表示を９０°回転させる第１画像回転手段を有することを特徴とする請求項１から３のいずれかに記載の携帯電話機。
【請求項５】
上記テレビ画像表示手段は、縦長状態とされた上記表示画面に、テレビ画像とともに、テレビ放送波からそのテレビ画像に対応する文字情報を抽出して表示させる文字情報表示手段を有することを特徴とする請求項４に記載の携帯電話機。
【請求項６】
上記テレビ画像表示手段は、テレビ画像を表示していない上記表示画面を縦長状態から横長状態へ遷移させる回転操作に基づいて、上記表示画面に対するテレビ画像の表示を開始させる画像表示開始手段を有することを特徴とする請求項１から５のいずれかに記載の携帯電話機。
【請求項７】
上記テレビ画像表示手段は、テレビ画像を表示している上記表示画面を縦長状態から横長状態へ遷移させる回転操作に基づいて、上記表示画面に対するテレビ画像の表示を９０°回転させる第２画像回転手段を有することを特徴とする請求項６に記載の携帯電話機。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
第１の本発明による携帯電話機は、筐体面に長方形の表示画面が形成された表示筐体と、上記表示画面の長手方向の一端側における上記表示筐体内に配置され、上記筐体面にユーザが耳を当てた状態で使用される音声出力手段と、上記表示画面が縦長状態及び横長状態となるように、上記表示筐体を上記表示画面に水平な面内で回転可能に保持する保持手段と、ユーザによる上記表示筐体の回転操作を検出する回転操作検出手段と、テレビ放送波を受信するテレビ放送受信手段と、受信したテレビ放送波に基づいて生成され、上記回転操作に応じて回転させたテレビ画像を上記表示画面に表示させるテレビ画像表示手段と、呼出信号及び応答信号の送受信を行う無線通信手段と、上記呼出信号に対する応答可能期間中に、テレビ画像を表示している上記表示画面を横長状態から縦長状態へ遷移させる回転操作に基づいて、応答信号を生成して通話状態を確立させる着信応答手段とを備えて構成される。
【手続補正１３】
【補正対象書類名】明細書
【補正対象項目名】００２６
【補正方法】変更
【補正の内容】
【００２６】
第２の本発明による携帯電話機は、上記テレビ画像表示手段が、上記着信応答手段が通話状態を確立させた場合に、上記表示画面に対するテレビ画像の表示を停止させる画像表示停止手段を有するように構成される。
【手続補正１４】
【補正対象書類名】明細書
【補正対象項目名】００２８
【補正方法】変更
【補正の内容】
【００２８】
第３の本発明による携帯電話機は、上記画像表示停止手段がテレビ画像の表示を停止させた場合に、テレビ放送波に基いてその後のテレビ画像を記録する録画手段を備えて構成される。
【手続補正１５】
【補正対象書類名】明細書
【補正対象項目名】００３０
【補正方法】変更
【補正の内容】
【００３０】
第４の本発明による携帯電話機は、上記テレビ画像表示手段が、上記呼出信号に対する応答可能期間でないときに、テレビ画像を表示している上記表示画面を横長状態から縦長状態へ遷移させる回転操作に基づいて、上記表示画面に対するテレビ画像の表示を９０°回転させる第１画像回転手段を有するように構成される。
【手続補正１６】
【補正対象書類名】明細書
【補正対象項目名】００３２
【補正方法】変更
【補正の内容】
【００３２】
第５の本発明による携帯電話機は、上記テレビ画像表示手段が、縦長状態とされた上記表示画面に、テレビ画像とともに、テレビ放送波からそのテレビ画像に対応する文字情報を抽出して表示させる文字情報表示手段を有するように構成される。
【手続補正１７】
【補正対象書類名】明細書
【補正対象項目名】００３４
【補正方法】変更
【補正の内容】
【００３４】
第６の本発明による携帯電話機は、上記テレビ画像表示手段が、テレビ画像を表示していない上記表示画面を縦長状態から横長状態へ遷移させる回転操作に基づいて、上記表示画面に対するテレビ画像の表示を開始させる画像表示開始手段を有するように構成される。
【手続補正１８】
【補正対象書類名】明細書
【補正対象項目名】００３６
【補正方法】変更
【補正の内容】
【００３６】
第７の本発明による携帯電話機は、上記テレビ画像表示手段が、テレビ画像を表示している上記表示画面を縦長状態から横長状態へ遷移させる回転操作に基づいて、上記表示画面に対するテレビ画像の表示を９０°回転させる第２画像回転手段を有するように構成される。
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】